(57)【要約】【課題】電気機器の動作状態に関する情報の提示を可能としながら、プライバシーの保護を向上させることのできる機器情報処理装置、管理装置、管理システム、情報処理方法および情報処理プログラムを提供する。【解決手段】機器情報処理装置は、他の装置からの情報を受信する受信部と、電気機器の動作状態を判断可能な状態情報を要求するための第１の端末装置からの要求情報を前記受信部が受信した場合、前記状態情報を前記第１の端末装置へ送信する送信部とを備え、前記送信部は、前記受信部が第２の端末装置からの所定情報を受信した後に前記要求情報を受信した場合、前記状態情報の代わりに前記状態情報のダミーを前記第１の端末装置へ送信する。【選択図】図２
2018073352.tif 000002
【特許請求の範囲】
【請求項１】
他の装置からの情報を受信する受信部と、
電気機器の動作状態を判断可能な状態情報を要求するための第１の端末装置からの要求情報を前記受信部が受信した場合、前記状態情報を前記第１の端末装置へ送信する送信部とを備え、
前記送信部は、前記受信部が第２の端末装置からの所定情報を受信した後に前記要求情報を受信した場合、前記状態情報の代わりに前記状態情報のダミーを前記第１の端末装置へ送信する、機器情報処理装置。
【請求項２】
前記送信部は、現在時刻に同期した内容の前記状態情報を送信し、現在時刻に同期した内容の前記状態情報のダミーを送信する、請求項１に記載の機器情報処理装置。
【請求項３】
前記状態情報は、前記電気機器の設けられた施設の消費電力および前記動作状態の少なくともいずれか一方を示す情報である、請求項１または請求項２に記載の機器情報処理装置。
【請求項４】
前記送信部は、前記動作状態のダミーに基づいて算出された前記消費電力を示す情報を、前記状態情報のダミーとして送信する、請求項３に記載の機器情報処理装置。
【請求項５】
前記機器情報処理装置は、さらに、
前記電気機器の動作状態を変更するための変更情報を前記受信部が受信した場合、前記変更情報に基づいて、前記状態情報のダミーの内容を変更するための処理を行う変更部を備える、請求項１から請求項４のいずれか１項に記載の機器情報処理装置。
【請求項６】
他の装置からの情報を受信する受信部と、
電気機器の動作状態を示す状態情報を要求するための要求情報を前記受信部が受信した場合、前記状態情報を送信する送信部とを備え、
前記送信部は、所定情報が取得された後に前記受信部が前記要求情報を受信した場合、前記状態情報の代わりに前記状態情報のダミーを送信する、機器情報処理装置。
【請求項７】
他の装置からの情報を受信する受信部と、
電気機器の動作状態を判断可能な状態情報を要求するための要求情報を前記受信部が受信した場合、前記状態情報を送信する送信部と、
前記状態情報のダミーの作成要求を示すダミー作成要求情報を前記受信部が受信した場合、前記状態情報のダミーを作成する情報処理部とを備え、
前記送信部は、前記情報処理部により作成された前記状態情報のダミーを送信する、管理装置。
【請求項８】
前記管理装置は、さらに、
対象施設の属性情報、および前記対象施設に設けられた前記電気機器に関する前記状態情報を保存する記憶部を備え、
前記情報処理部は、前記受信部が前記対象施設からの所定情報を受信した場合、前記記憶部に保存されている前記対象施設の前記属性情報に基づいて、他の前記対象施設に設けられた前記電気機器に関する前記状態情報を選択し、選択した前記状態情報に基づいて前記状態情報のダミーを作成する、請求項７に記載の管理装置。
【請求項９】
電気機器の動作状態を判断可能な状態情報を要求するための第１の端末装置からの要求情報を受信した場合、前記状態情報を前記第１の端末装置へ送信する機器情報処理装置と、
管理装置とを備え、
前記機器情報処理装置は、第２の端末装置からの所定情報を受信した後に前記要求情報を受信した場合、前記状態情報のダミーの作成要求を示すダミー作成要求情報を前記管理装置へ送信し、
前記管理装置は、前記機器情報処理装置から前記ダミー作成要求情報を受信すると、前記状態情報のダミーを作成し、作成した前記状態情報のダミーを前記機器情報処理装置へ送信し、
前記機器情報処理装置は、前記状態情報の代わりに、前記管理装置から受信した前記状態情報のダミーを前記第１の端末装置へ送信する、管理システム。
【請求項１０】
電気機器の動作状態を示す状態情報を要求するための要求情報を受信した場合、前記状態情報を送信する機器情報処理装置と、
管理装置とを備え、
前記機器情報処理装置は、所定情報を取得した後に前記要求情報を受信した場合、前記状態情報のダミーの作成要求を示すダミー作成要求情報を前記管理装置へ送信し、
前記管理装置は、前記機器情報処理装置から前記ダミー作成要求情報を受信すると、前記状態情報のダミーを作成し、作成した前記状態情報のダミーを前記機器情報処理装置へ送信し、
前記機器情報処理装置は、前記状態情報の代わりに、前記管理装置から受信した前記状態情報のダミーを送信する、管理システム。
【請求項１１】
電気機器の動作状態を判断可能な状態情報を要求するための要求情報を第１の端末装置から受信した場合、前記状態情報を前記第１の端末装置へ送信する機器情報処理装置における情報処理方法であって、
前記要求情報を受信するステップと、
前記要求情報を受信する前に第２の端末装置からの所定情報を受信した場合、前記状態情報の代わりに前記状態情報のダミーを前記第１の端末装置へ送信するステップとを含む、情報処理方法。
【請求項１２】
電気機器の動作状態を示す状態情報を要求するための要求情報を受信した場合、前記状態情報を送信する機器情報処理装置における情報処理方法であって、
前記要求情報を受信するステップと、
前記要求情報を受信する前に所定情報を取得した場合、前記状態情報の代わりに前記状態情報のダミーを送信するステップとを含む、情報処理方法。
【請求項１３】
電気機器の動作状態を判断可能な状態情報を要求するための要求情報を受信した場合、前記状態情報を送信する管理装置における情報処理方法であって、
前記状態情報のダミーの作成要求を示すダミー作成要求を受信した場合、前記状態情報のダミーを作成するステップと、
作成した前記状態情報のダミーを送信するステップとを含む、情報処理方法。
【請求項１４】
機器情報処理装置において用いられる情報処理プログラムであって、
コンピュータを、
他の装置からの情報を受信する受信部と、
電気機器の動作状態を判断可能な状態情報を要求するための第１の端末装置からの要求情報を前記受信部が受信した場合、前記状態情報を前記第１の端末装置へ送信する送信部、として機能させるためのプログラムであり、
前記送信部は、前記受信部が第２の端末装置からの所定情報を受信した後に前記要求情報を受信した場合、前記状態情報の代わりに前記状態情報のダミーを前記第１の端末装置へ送信する、情報処理プログラム。
【請求項１５】
機器情報処理装置において用いられる情報処理プログラムであって、
コンピュータを、
他の装置からの情報を受信する受信部と、
電気機器の動作状態を示す状態情報を要求するための要求情報を前記受信部が受信した場合、前記状態情報を送信する送信部、として機能させるためのプログラムであり、
前記送信部は、所定情報が取得された後に前記受信部が前記要求情報を受信した場合、前記状態情報の代わりに前記状態情報のダミーを送信する、情報処理プログラム。
【請求項１６】
管理装置において用いられる情報処理プログラムであって、
コンピュータを、
他の装置からの情報を受信する受信部と、
電気機器の動作状態を判断可能な状態情報を要求するための要求情報を前記受信部が受信した場合、前記状態情報を送信する送信部と、
前記状態情報のダミーの作成要求を示すダミー作成要求情報を前記受信部が受信した場合、前記状態情報のダミーを作成する情報処理部、として機能させるためのプログラムであり、
前記送信部は、前記情報処理部により作成された前記状態情報のダミーを送信する、情報処理プログラム。
【発明の詳細な説明】
【技術分野】
【０００１】
本発明は、機器情報処理装置、管理装置、管理システム、情報処理方法および情報処理プログラムに関する。
【背景技術】
【０００２】
一般家庭およびオフィス等において、各種電気機器と通信することにより複数の電気機器を管理する機器管理システムが開発されている（たとえば、「ＥＣＨＯＮＥＴ  Ｌｉｔｅ規格書  Ｖｅｒ１．０１」、エコーネットコンソーシアム、２０１３年５月３１日発行（非特許文献１）参照）。
【先行技術文献】
【非特許文献】
【０００３】
【非特許文献１】「ＥＣＨＯＮＥＴ  Ｌｉｔｅ規格書  Ｖｅｒ１．１０」、エコーネットコンソーシアム、２０１３年５月３１日発行
【発明の概要】
【発明が解決しようとする課題】
【０００４】
上記のような機器管理システムでは、機器管理装置が、対象施設における電気機器の動作状態等をユーザに提示することが可能である。しかしながら、対象施設における電気機器の動作状態等が提示されることにより、当該対象施設の利用者であるユーザの行動が他のユーザに知られる可能性がある。このため、プライバシーの保護を向上させることのできる技術が望まれる。
【０００５】
この発明は、上述の課題を解決するためになされたもので、その目的は、電気機器の動作状態に関する情報の提示を可能としながら、プライバシーの保護を向上させることのできる機器情報処理装置、管理装置、管理システム、情報処理方法および情報処理プログラムを提供することである。
【課題を解決するための手段】
【０００６】
（１）上記課題を解決するために、この発明のある局面に係わる機器情報処理装置は、他の装置からの情報を受信する受信部と、電気機器の動作状態を判断可能な状態情報を要求するための第１の端末装置からの要求情報を前記受信部が受信した場合、前記状態情報を前記第１の端末装置へ送信する送信部とを備え、前記送信部は、前記受信部が第２の端末装置からの所定情報を受信した後に前記要求情報を受信した場合、前記状態情報の代わりに前記状態情報のダミーを前記第１の端末装置へ送信する。
【０００７】
（６）上記課題を解決するために、この発明の他の局面に係わる機器情報処理装置は、他の装置からの情報を受信する受信部と、電気機器の動作状態を示す状態情報を要求するための要求情報を前記受信部が受信した場合、前記状態情報を送信する送信部とを備え、前記送信部は、所定情報が取得された後に前記受信部が前記要求情報を受信した場合、前記状態情報の代わりに前記状態情報のダミーを送信する。
【０００８】
（７）上記課題を解決するために、この発明のある局面に係わる管理装置は、他の装置からの情報を受信する受信部と、電気機器の動作状態を判断可能な状態情報を要求するための要求情報を前記受信部が受信した場合、前記状態情報を送信する送信部と、前記状態情報のダミーの作成要求を示すダミー作成要求情報を前記受信部が受信した場合、前記状態情報のダミーを作成する情報処理部とを備え、前記送信部は、前記情報処理部により作成された前記状態情報のダミーを送信する。
【０００９】
（９）上記課題を解決するために、この発明のある局面に係わる管理システムは、電気機器の動作状態を判断可能な状態情報を要求するための第１の端末装置からの要求情報を受信した場合、前記状態情報を前記第１の端末装置へ送信する機器情報処理装置と、管理装置とを備え、前記機器情報処理装置は、第２の端末装置からの所定情報を受信した後に前記要求情報を受信した場合、前記状態情報のダミーの作成要求を示すダミー作成要求情報を前記管理装置へ送信し、前記管理装置は、前記機器情報処理装置から前記ダミー作成要求情報を受信すると、前記状態情報のダミーを作成し、作成した前記状態情報のダミーを前記機器情報処理装置へ送信し、前記機器情報処理装置は、前記状態情報の代わりに、前記管理装置から受信した前記状態情報のダミーを前記第１の端末装置へ送信する。
【００１０】
（１０）上記課題を解決するために、この発明の他の局面に係わる管理システムは、電気機器の動作状態を示す状態情報を要求するための要求情報を受信した場合、前記状態情報を送信する機器情報処理装置と、管理装置とを備え、前記機器情報処理装置は、所定情報を取得した後に前記要求情報を受信した場合、前記状態情報のダミーの作成要求を示すダミー作成要求情報を前記管理装置へ送信し、前記管理装置は、前記機器情報処理装置から前記ダミー作成要求情報を受信すると、前記状態情報のダミーを作成し、作成した前記状態情報のダミーを前記機器情報処理装置へ送信し、前記機器情報処理装置は、前記状態情報の代わりに、前記管理装置から受信した前記状態情報のダミーを送信する。
【００１１】
（１１）上記課題を解決するために、この発明のある局面に係わる情報処理方法は、電気機器の動作状態を判断可能な状態情報を要求するための要求情報を第１の端末装置から受信した場合、前記状態情報を前記第１の端末装置へ送信する機器情報処理装置における情報処理方法であって、前記要求情報を受信するステップと、前記要求情報を受信する前に第２の端末装置からの所定情報を受信した場合、前記状態情報の代わりに前記状態情報のダミーを前記第１の端末装置へ送信するステップとを含む。
【００１２】
（１２）上記課題を解決するために、この発明の他の局面に係わる情報処理方法は、電気機器の動作状態を示す状態情報を要求するための要求情報を受信した場合、前記状態情報を送信する機器情報処理装置における情報処理方法であって、前記要求情報を受信するステップと、前記要求情報を受信する前に所定情報を取得した場合、前記状態情報の代わりに前記状態情報のダミーを送信するステップとを含む。
【００１３】
（１３）上記課題を解決するために、この発明の他の局面に係わる情報処理方法は、電気機器の動作状態を判断可能な状態情報を要求するための要求情報を受信した場合、前記状態情報を送信する管理装置における情報処理方法であって、前記状態情報のダミーの作成要求を示すダミー作成要求を受信した場合、前記状態情報のダミーを作成するステップと、作成した前記状態情報のダミーを送信するステップとを含む。
【００１４】
（１４）上記課題を解決するために、この発明のある局面に係わる情報処理プログラムは、機器情報処理装置において用いられる情報処理プログラムであって、コンピュータを、他の装置からの情報を受信する受信部と、電気機器の動作状態を判断可能な状態情報を要求するための第１の端末装置からの要求情報を前記受信部が受信した場合、前記状態情報を前記第１の端末装置へ送信する送信部、として機能させるためのプログラムであり、前記送信部は、前記受信部が第２の端末装置からの所定情報を受信した後に前記要求情報を受信した場合、前記状態情報の代わりに前記状態情報のダミーを前記第１の端末装置へ送信する。
【００１５】
（１５）上記課題を解決するために、この発明の他の局面に係わる情報処理プログラムは、機器情報処理装置において用いられる情報処理プログラムであって、コンピュータを、他の装置からの情報を受信する受信部と、電気機器の動作状態を示す状態情報を要求するための要求情報を前記受信部が受信した場合、前記状態情報を送信する送信部、として機能させるためのプログラムであり、前記送信部は、所定情報が取得された後に前記受信部が前記要求情報を受信した場合、前記状態情報の代わりに前記状態情報のダミーを送信する。
【００１６】
（１６）上記課題を解決するために、この発明の他の局面に係わる情報処理プログラムは、管理装置において用いられる情報処理プログラムであって、コンピュータを、他の装置からの情報を受信する受信部と、電気機器の動作状態を判断可能な状態情報を要求するための要求情報を前記受信部が受信した場合、前記状態情報を送信する送信部と、前記状態情報のダミーの作成要求を示すダミー作成要求情報を前記受信部が受信した場合、前記状態情報のダミーを作成する情報処理部、として機能させるためのプログラムであり、前記送信部は、前記情報処理部により作成された前記状態情報のダミーを送信する。
【００１７】
本発明は、このような特徴的な処理部を備える機器情報処理装置として実現することができるだけでなく、機器情報処理装置の一部または全部を実現する半導体集積回路として実現することができる。
【００１８】
また、本発明は、このような特徴的な処理部を備える管理装置として実現することができるだけでなく、管理装置の一部または全部を実現する半導体集積回路として実現することができる。
【００１９】
また、本発明は、このような特徴的な処理部を備える管理システムとして実現することができるだけでなく、かかる特徴的な処理をステップとする情報処理方法として実現したり、かかるステップをコンピュータに実行させるためのプログラムとして実現したりすることができる。
【発明の効果】
【００２０】
本発明によれば、電気機器の動作状態に関する情報の提示を可能としながら、プライバシーの保護を向上させることができる。
【図面の簡単な説明】
【００２１】
【図１】図１は、本発明の実施の形態に係る管理システムの構成を示す図である。
【図２】図２は、本発明の実施の形態に係る機器情報処理装置の構成を示す図である。
【図３】図３は、本発明の実施の形態に係る管理装置の構成を示す図である。
【図４】図４は、本発明の実施の形態に係る端末装置の画面の表示例１を示す図である。
【図５】図５は、本発明の実施の形態に係る端末装置の画面の表示例２を示す図である。
【図６】図６は、本発明の実施の形態に係る端末装置の画面の表示例３を示す図である。
【図７】図７は、本発明の実施の形態に係る端末装置の画面の表示例４を示す図である。
【図８】図８は、本発明の実施の形態に係る管理システムにおけるユーザ情報の登録処理の動作手順を定めたシーケンスを示す図である。
【図９】図９は、本発明の実施の形態に係る管理システムにおける状態情報の保存処理の動作手順を定めたシーケンスを示す図である。
【図１０】図１０は、本発明の実施の形態に係る管理システムにおける動作情報のダミーの作成処理の動作手順を定めたシーケンスを示す図である。
【図１１】図１１は、本発明の実施の形態に係る管理システムにおける消費電力情報のダミーの作成処理の動作手順を定めたシーケンスを示す図である。
【図１２】図１２は、本発明の実施の形態に係る管理システムにおける動作情報の表示処理の動作手順を定めたシーケンスを示す図である。
【図１３】図１３は、本発明の実施の形態に係る管理システムにおける消費電力情報の表示処理の動作手順（その１）を定めたシーケンスを示す図である。
【図１４】図１４は、本発明の実施の形態に係る管理システムにおける消費電力情報の表示処理の動作手順（その２）を定めたシーケンスを示す図である。
【図１５】図１５は、本発明の実施の形態に係る管理システムにおける電気機器の動作状態の変更処理の動作手順を定めたシーケンスを示す図である。
【図１６】図１６は、本発明の実施の形態に係る管理システムにおける動作情報のダミーおよび消費電力情報のダミーの内容変更処理の動作手順を定めたシーケンスを示す図である。
【発明を実施するための形態】
【００２２】
最初に、本発明の実施形態の内容を列記して説明する。
【００２３】
（１）本発明の実施の形態に係る機器情報処理装置は、他の装置からの情報を受信する受信部と、電気機器の動作状態を判断可能な状態情報を要求するための第１の端末装置からの要求情報を前記受信部が受信した場合、前記状態情報を前記第１の端末装置へ送信する送信部とを備え、前記送信部は、前記受信部が第２の端末装置からの所定情報を受信した後に前記要求情報を受信した場合、前記状態情報の代わりに前記状態情報のダミーを前記第１の端末装置へ送信する。
【００２４】
このような構成により、たとえば、ユーザＹが端末装置を操作することにより電気機器に関するダミーが表示されるように設定した場合、ユーザＹが外出中であっても、ユーザＸの端末装置には、ユーザＹが在宅中であるように模した内容の画面が表示されるため、ユーザＹの実際の行動がユーザＸに知られることを防ぐことができる。したがって、電気機器の動作状態に関する情報の提示を可能としながら、プライバシーの保護を向上させることができる。
【００２５】
（２）好ましくは、前記送信部は、現在時刻に同期した内容の前記状態情報を送信し、現在時刻に同期した内容の前記状態情報のダミーを送信する。
【００２６】
このような構成により、電気機器の動作状態に関する内容をリアルタイムに表示することのできるシステムにおいて、動作状態に関する内容のダミーについても同様に、リアルタイムに表示することができる。
【００２７】
（３）好ましくは、前記状態情報は、前記電気機器の設けられた施設の消費電力および前記動作状態の少なくともいずれか一方を示す情報である。
【００２８】
このような構成により、たとえば、施設の消費電力および電気機器の動作状態を表示することのできるシステムにおいて、消費電力のダミーおよび動作状態のダミーについても同様に表示することができる。
【００２９】
（４）より好ましくは、前記送信部は、前記動作状態のダミーに基づいて算出された前記消費電力を示す情報を、前記状態情報のダミーとして送信する。
【００３０】
このような構成により、電気機器の動作状態として表示される内容と、対象施設における消費電力として表示される内容との間に矛盾が生じることを防ぐことができる。
【００３１】
（５）好ましくは、前記機器情報処理装置は、さらに、前記電気機器の動作状態を変更するための変更情報を前記受信部が受信した場合、前記変更情報に基づいて、前記状態情報のダミーの内容を変更するための処理を行う変更部を備える。
【００３２】
このような構成により、ユーザによる電気機器の動作状態の変更指示に合わせて、端末装置に表示されるダミーの内容が変更されるため、表示される内容がダミーであることが当該ユーザに把握されにくい。
【００３３】
（６）本発明の実施の形態に係る機器情報処理装置は、他の装置からの情報を受信する受信部と、電気機器の動作状態を示す状態情報を要求するための要求情報を前記受信部が受信した場合、前記状態情報を送信する送信部とを備え、前記送信部は、所定情報が取得された後に前記受信部が前記要求情報を受信した場合、前記状態情報の代わりに前記状態情報のダミーを送信する。
【００３４】
このような構成により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００３５】
（７）本発明の実施の形態に係る管理装置は、他の装置からの情報を受信する受信部と、電気機器の動作状態を判断可能な状態情報を要求するための要求情報を前記受信部が受信した場合、前記状態情報を送信する送信部と、前記状態情報のダミーの作成要求を示すダミー作成要求情報を前記受信部が受信した場合、前記状態情報のダミーを作成する情報処理部とを備え、前記送信部は、前記情報処理部により作成された場合、作成された前記状態情報のダミーを送信する。
【００３６】
このような構成により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００３７】
（８）好ましくは、前記管理装置は、さらに、対象施設の属性情報、および前記対象施設に設けられた前記電気機器に関する前記状態情報を保存する記憶部を備え、前記情報処理部は、前記受信部が前記対象施設からの所定情報を受信した場合、前記記憶部に保存されている前記対象施設の前記属性情報に基づいて、他の前記対象施設に設けられた前記電気機器に関する前記状態情報を選択し、選択した前記状態情報に基づいて前記状態情報のダミーを作成する。
【００３８】
このような構成により、たとえば、ある対象施設の状態情報のダミーを作成する場合、当該対象施設と属性が同一または類似する他の対象施設の状態情報を基準とすることができる。このため、たとえば、状態情報のダミーを作成する場合、電気機器の実際の動作状態に近い状態を示す状態情報のダミーを作成することができる。
【００３９】
（９）本発明の実施の形態に係る管理システムは、電気機器の動作状態を判断可能な状態情報を要求するための第１の端末装置からの要求情報を受信した場合、前記状態情報を前記第１の端末装置へ送信する機器情報処理装置と、管理装置とを備え、前記機器情報処理装置は、第２の端末装置からの所定情報を受信した後に前記要求情報を受信した場合、前記状態情報のダミーの作成要求を示すダミー作成要求情報を前記管理装置へ送信し、前記管理装置は、前記機器情報処理装置から前記ダミー作成要求情報を受信すると、前記状態情報のダミーを作成し、作成した前記状態情報のダミーを前記機器情報処理装置へ送信し、前記機器情報処理装置は、前記状態情報の代わりに、前記管理装置から受信した前記状態情報のダミーを前記第１の端末装置へ送信する。
【００４０】
このような構成により、たとえば、ユーザＹが端末装置を操作することにより電気機器に関するダミーが表示されるように設定した場合、ユーザＹが外出中であっても、ユーザＸの端末装置には、ユーザＹが在宅中であるように模した内容の画面が表示されるため、ユーザＹの実際の行動がユーザＸに知られることを防ぐことができる。したがって、電気機器の動作状態に関する情報の提示を可能としながら、プライバシーの保護を向上させることができる。
【００４１】
（１０）本発明の実施の形態に係る管理システムは、電気機器の動作状態を示す状態情報を要求するための要求情報を受信した場合、前記状態情報を送信する機器情報処理装置と、管理装置とを備え、前記機器情報処理装置は、所定情報を取得した後に前記要求情報を受信した場合、前記状態情報のダミーの作成要求を示すダミー作成要求情報を前記管理装置へ送信し、前記管理装置は、前記機器情報処理装置から前記ダミー作成要求情報を受信すると、前記状態情報のダミーを作成し、作成した前記状態情報のダミーを前記機器情報処理装置へ送信し、前記機器情報処理装置は、前記状態情報の代わりに、前記管理装置から受信した前記状態情報のダミーを送信する。
【００４２】
このような構成により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００４３】
（１１）本発明の実施の形態に係る情報処理方法は、電気機器の動作状態を判断可能な状態情報を要求するための要求情報を第１の端末装置から受信した場合、前記状態情報を前記第１の端末装置へ送信する機器情報処理装置における情報処理方法であって、前記要求情報を受信するステップと、前記要求情報を受信する前に第２の端末装置からの所定情報を受信した場合、前記状態情報の代わりに前記状態情報のダミーを前記第１の端末装置へ送信するステップとを含む。
【００４４】
このような方法により、たとえば、ユーザＹが端末装置を操作することにより電気機器に関するダミーが表示されるように設定した場合、ユーザＹが外出中であっても、ユーザＸの端末装置には、ユーザＹが在宅中であるように模した内容の画面が表示されるため、ユーザＹの実際の行動がユーザＸに知られることを防ぐことができる。したがって、電気機器の動作状態に関する情報の提示を可能としながら、プライバシーの保護を向上させることができる。
【００４５】
（１２）本発明の実施の形態に係る情報処理方法は、電気機器の動作状態を示す状態情報を要求するための要求情報を受信した場合、前記状態情報を送信する機器情報処理装置における情報処理方法であって、前記要求情報を受信するステップと、前記要求情報を受信する前に所定情報を取得した場合、前記状態情報の代わりに前記状態情報のダミーを送信するステップとを含む。
【００４６】
このような方法により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００４７】
（１３）本発明の実施の形態に係る情報処理方法は、電気機器の動作状態を判断可能な状態情報を要求するための要求情報を受信した場合、前記状態情報を送信する管理装置における情報処理方法であって、前記状態情報のダミーの作成要求を示すダミー作成要求を受信した場合、前記状態情報のダミーを作成するステップと、作成した前記状態情報のダミーを送信するステップとを含む。
【００４８】
このような方法により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００４９】
（１４）本発明の実施の形態に係る情報処理プログラムは、機器情報処理装置において用いられる情報処理プログラムであって、コンピュータを、他の装置からの情報を受信する受信部と、電気機器の動作状態を判断可能な状態情報を要求するための第１の端末装置からの要求情報を前記受信部が受信した場合、前記状態情報を前記第１の端末装置へ送信する送信部、として機能させるためのプログラムであり、前記送信部は、前記受信部が第２の端末装置からの所定情報を受信した後に前記要求情報を受信した場合、前記状態情報の代わりに前記状態情報のダミーを前記第１の端末装置へ送信する。
【００５０】
このような構成により、たとえば、ユーザＹが端末装置を操作することにより電気機器に関するダミーが表示されるように設定した場合、ユーザＹが外出中であっても、ユーザＸの端末装置には、ユーザＹが在宅中であるように模した内容の画面が表示されるため、ユーザＹの実際の行動がユーザＸに知られることを防ぐことができる。したがって、電気機器の動作状態に関する情報の提示を可能としながら、プライバシーの保護を向上させることができる。
【００５１】
（１５）本発明の実施の形態に係る情報処理プログラムは、機器情報処理装置において用いられる情報処理プログラムであって、コンピュータを、他の装置からの情報を受信する受信部と、電気機器の動作状態を示す状態情報を要求するための要求情報を前記受信部が受信した場合、前記状態情報を送信する送信部、として機能させるためのプログラムであり、前記送信部は、所定情報が取得された後に前記受信部が前記要求情報を受信した場合、前記状態情報の代わりに前記状態情報のダミーを送信する。
【００５２】
このような構成により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００５３】
（１６）本発明の実施の形態に係る情報処理プログラムは、管理装置において用いられる情報処理プログラムであって、コンピュータを、他の装置からの情報を受信する受信部と、電気機器の動作状態を判断可能な状態情報を要求するための要求情報を前記受信部が受信した場合、前記状態情報を送信する送信部と、前記状態情報のダミーの作成要求を示すダミー作成要求情報を前記受信部が受信した場合、前記状態情報のダミーを作成する情報処理部、として機能させるためのプログラムであり、前記送信部は、前記情報処理部により作成された前記状態情報のダミーを送信する。
【００５４】
このような構成により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器の動作状態に関する情報の提示を可能としながら、プライバシーの保護を向上させることができる。
【００５５】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５６】
＜構成および基本動作＞
［管理システム］
図１は、本発明の実施の形態に係る管理システムの構成を示す図である。
【００５７】
図１を参照して、本発明の実施の形態に係る管理システム２０１は、機器情報処理装置１０１と、管理装置１０２と、端末装置１０３と、端末装置１０４と、１または複数の電気機器１０５と、電力計測装置１０６とを備える。
【００５８】
機器情報処理装置１０１は、たとえばＨＥＭＳ（Ｈｏｍｅ  Ｅｎｅｒｇｙ  Ｍａｎａｇｅｍｅｎｔ  Ｓｙｓｔｅｍ）において用いられる装置であり、管理装置１０２、端末装置１０３、端末装置１０４、電気機器１０５および電力計測装置１０６との間で情報の送受信を行う。
【００５９】
電気機器１０５は、一般家庭またはオフィスなどの対象施設に設けられたエアコン、照明またはテレビなどである。電力計測装置１０６は、スマートメータ等の通信機能付きの電力計測器であり、対象施設における消費電力を計測する。
【００６０】
機器情報処理装置１０１は、電気機器１０５の動作状態を判断可能な状態情報を取得し、取得した状態情報を管理装置１０２へ送信する。
【００６１】
管理装置１０２は、複数の対象施設にそれぞれ設けられた電気機器１０５の動作状態、および各対象施設における消費電力を管理する。
【００６２】
より詳細には、機器情報処理装置１０１は、たとえば、動作状態の通知を３０分毎など定期的に各電気機器１０５に要求し、各電気機器１０５からの動作状態の通知を受けることにより、通知された内容を示す動作情報を状態情報として取得する。そして、機器情報処理装置１０１は、取得した動作情報および自己の識別情報（以下、「ＩＤ（Ｉｄｅｎｔｉｆｉｃａｔｉｏｎ）」と称する。）を管理装置１０２へ送信する。
【００６３】
また、機器情報処理装置１０１は、たとえば、消費電力の計測結果の通知を３０分毎など定期的に電力計測装置１０６に要求し、電力計測装置１０６からの計測結果の通知を受けることにより、通知された計測結果を示す消費電力情報を状態情報として取得する。そして、機器情報処理装置１０１は、取得した消費電力情報およびＩＤを管理装置１０２へ送信する。
【００６４】
なお、状態情報は、動作情報および消費電力情報に限らず、電気機器１０５の動作状態を判断可能な他の種類の情報でもよい。
【００６５】
管理装置１０２は、各対象施設の機器情報処理装置１０１から送信された動作情報およびＩＤを受信すると、受信した動作情報とＩＤとを対応づけて保存する。また、管理装置１０２は、各対象施設の機器情報処理装置１０１から送信された消費電力情報およびＩＤを受信すると、受信した消費電力情報とＩＤとを対応づけて保存する。
【００６６】
なお、機器情報処理システム２０１は、電力計測装置１０６を備えなくてもよい。この場合、たとえば、管理装置１０２は、各機器情報処理装置１０１から送信された動作情報に基づいて、それぞれの対象施設における消費電力を算出してもよい。
【００６７】
また、機器情報処理装置１０１は、ユーザの要求に従い、現在時刻に同期した内容の状態情報、すなわち動作情報および消費電力情報の少なくともいずれか一方を、端末装置１０３または端末装置１０４へ送信する。
【００６８】
端末装置１０３または端末装置１０４は、機器情報処理装置１０１から送信された状態情報を受信すると、受信した状態情報に基づいて、たとえば、現在時刻における複数の電気機器１０５の各々の動作状態、または現在時刻における消費電力を自己の画面に表示する。
【００６９】
［機器情報処理装置および管理装置］
図２は、本発明の実施の形態に係る機器情報処理装置の構成を示す図である。
【００７０】
図２に示すように、機器情報処理装置１０１は、取得部１１と、情報処理部１２と、第１受信部１３と、第１送信部１４と、第２受信部１５と、第２送信部１６と、記憶部１７と、変更部１８と、制御部１９とを備える。
【００７１】
図３は、本発明の実施の形態に係る管理装置の構成を示す図である。
【００７２】
図３に示すように、管理装置１０２は、受信部２１と、送信部２２と、情報処理部（取得部）２３と、記憶部２４と、天気情報取得部２５とを備える。以下、図２および図３を参照して、機器情報処理装置および管理装置の詳細な構成について説明する。
【００７３】
（ａ）ユーザ情報の登録
ユーザが、対象施設の属性情報（以下、「ユーザ情報」と称する。）を端末装置１０３または端末装置１０４に入力すると、ユーザ情報が入力された端末装置１０３または端末装置１０４は、当該ユーザ情報を機器情報処理装置１０１へ送信する。
【００７４】
機器情報処理装置１０１における第１受信部１３は、端末装置１０３または端末装置１０４から送信されたユーザ情報を受信し、受信したユーザ情報を情報処理部１２へ出力する。
【００７５】
たとえば、対象施設が一般家庭である場合、ユーザ情報は、当該対象施設に暮らす世帯の家族構成、当該対象施設の住所、当該対象施設の間取り、および当該対象施設に設けられている電気機器１０５の種類などを示す。また、たとえば、対象施設がオフィスである場合、ユーザ情報は、当該対象施設において働く人数、当該対象施設の住所、当該対象施設の広さ、および当該対象施設に設けられている電気機器１０５の種類などを示す。
【００７６】
情報処理部１２は、第１受信部１３からユーザ情報を受けると、当該ユーザ情報を第２送信部１６へ出力する。第２送信部１６は、情報処理部１２からユーザ情報を受けると、当該ユーザ情報およびＩＤを管理装置１０２へ送信する。
【００７７】
管理装置１０２における受信部２１は、機器情報処理装置１０１から送信されたユーザ情報およびＩＤを受信すると、受信したユーザ情報およびＩＤを情報処理部２３へ出力する。
【００７８】
情報処理部２３は、受信部２１からユーザ情報およびＩＤを受けると、当該ユーザ情報と当該ＩＤとを対応づけて記憶部２４に保存する。
【００７９】
（ｂ）状態情報および天気情報の保存
機器情報処理装置１０１における取得部１１は、動作状態の通知をたとえば定期的に各電気機器１０５に要求し、各電気機器１０５から動作状態の通知を受ける。そして、取得部１１は、各電気機器１０５から通知された内容を示す動作情報を情報処理部１２へ出力する。
【００８０】
また、取得部１１は、消費電力の計測結果の通知をたとえば定期的に電力計測装置１０６に要求し、電力計測装置１０６から計測結果の通知を受ける。そして、取得部１１は、電力計測装置１０６から通知された計測結果を示す消費電力情報を情報処理部１２へ出力する。
【００８１】
情報処理部１２は、取得部１１から動作情報または消費電力情報を受けると、たとえば、当該動作情報または当該消費電力情報にタイムスタンプを付して、第２送信部１６へ出力する。第２送信部１６は、情報処理部１２から受けた動作情報または消費電力情報、およびＩＤを管理装置１０２へ送信する。
【００８２】
管理装置１０２における受信部２１は、機器情報処理装置１０１から送信された動作情報または消費電力情報、およびＩＤを受信すると、受信したこれらの情報を情報処理部２３へ出力する。情報処理部２３は、受信部２１からこれらの情報を受けると、動作情報または消費電力情報とＩＤとを対応づけて記憶部２４に保存する。
【００８３】
天気情報取得部２５は、たとえば、複数のエリアにおけるそれぞれの天気を示す天気情報をウェブサイト上から取得し、取得した天気情報と、当該天気情報を取得した日時を示す日時情報とを対応づけて記憶部２４に保存する。
【００８４】
なお、天気情報取得部２５が天気情報を取得する代わりに、たとえば、機器情報処理装置１０１における取得部１１が、自己の機器情報処理装置１０１の設けられたエリアにおける天気を示す天気情報を取得し、取得した天気情報を、情報処理部１２および第２送信部１６経由で管理装置１０２へ送信する構成であってもよい。
【００８５】
（ｃ）動作状態の表示
たとえば、ユーザが端末装置１０３を操作することにより、電気機器１０５の動作状態の表示を要求すると、端末装置１０３は、要求の内容を示す要求情報を機器情報処理装置１０１へ送信する。
【００８６】
機器情報処理装置１０１における第１受信部１３は、端末装置１０３から送信された要求情報を受信すると、受信した要求情報を情報処理部１２へ出力する。
【００８７】
情報処理部１２は、第１受信部１３から要求情報を受けると、当該要求情報を取得部１１へ出力する。そして、取得部１１は、情報処理部１２から要求情報を受けると、たとえば、動作状態の通知および機器の種類の通知を各電気機器１０５に要求する。
【００８８】
そして、取得部１１は、各電気機器１０５から動作状態の通知および機器の種類の通知を受けると、通知された動作状態を示す動作情報および通知された機器の種類を示す種類情報を、情報処理部１２へ出力する。
【００８９】
情報処理部１２は、取得部１１から動作情報および種類情報を受けると、これらの情報を第１送信部１４経由で端末装置１０３へ送信する。
【００９０】
端末装置１０３は、機器情報処理装置１０１から送信された動作情報および種類情報を受信すると、受信したこれらの情報に基づく内容の画面を表示する。
【００９１】
図４は、本発明の実施の形態に係る端末装置の画面の表示例１を示す図である。また、図５は、本発明の実施の形態に係る端末装置の画面の表示例２を示す図である。
【００９２】
具体的には、端末装置１０３は、図４に示すように、種類情報の示す各電気機器１０５の種類である「エアコン」、「照明」および「テレビ」を画面に表示する。そして、たとえば、ユーザが端末装置１０３を操作することにより、画面における「エアコン」を選択すると、端末装置１０３は、動作情報の示すエアコンの動作状態を画面に表示する。
【００９３】
具体的には、端末装置１０３は、図５に示すように、現在時刻におけるエアコンの動作状態として、エアコンの電源が「オン」であること、運転モードが「暖房」であること、エコ運転が「オフ」であること、設定温度が「１８℃」であること、および風量の設定が「弱」であることを画面に表示する。
【００９４】
（ｄ）消費電力の表示
再び図２および図３を参照して、たとえば、ユーザが端末装置１０３を操作することにより、対象施設における消費電力の表示を要求すると、端末装置１０３は、要求の内容を示す要求情報を機器情報処理装置１０１へ送信する。
【００９５】
機器情報処理装置１０１における第１受信部１３は、端末装置１０３から送信された要求情報を受信すると、受信した要求情報を情報処理部１２へ出力する。
【００９６】
情報処理部１２は、第１受信部１３から要求情報を受けると、当該要求情報を第２送信部１６へ出力する。第２送信部１６は、情報処理部１２から要求情報を受けると、当該要求情報およびＩＤを管理装置１０２へ送信する。
【００９７】
管理装置１０２における受信部２１は、機器情報処理装置１０１から送信された要求情報およびＩＤを受信すると、受信したこれらの情報を情報処理部２３へ出力する。
【００９８】
情報処理部２３は、受信部２１から要求情報およびＩＤを受けると、たとえば、記憶部２４に保存されている複数の消費電力情報の中から、受信したＩＤと同一のＩＤが対応づけられた消費電力情報であって、当該要求情報を受信した日と同日の０時から現在時刻までの消費電力情報を読み出す。具体的には、現在時刻が１５時であり、記憶部２４には０時から３０分毎の消費電力情報が保存されている場合、情報処理部２３は、「０：００」、「０：３０」、・・・、「１４：３０」、「１５：００」の各時刻のタイムスタンプが付された消費電力情報を読み出す。
【００９９】
そして、情報処理部２３は、読み出した消費電力情報を、送信部２２経由で機器情報処理装置１０１へ送信する。
【０１００】
機器情報処理装置１０１における第２受信部１５は、管理装置１０２から送信された消費電力情報を受信すると、受信した消費電力情報を情報処理部１２へ出力する。そして、情報処理部１２は、第２受信部１５から受けた消費電力情報を、第１送信部１４経由で端末装置１０３へ送信する。
【０１０１】
端末装置１０３は、機器情報処理装置１０１から送信された消費電力情報を受信すると、受信した消費電力情報に基づく内容の画面を表示する。
【０１０２】
図６は、本発明の実施の形態に係る端末装置の画面の表示例３を示す図である。
【０１０３】
具体的には、図６を参照して、現在の日時が９月１日の１５時であるとすると、端末装置１０３は、消費電力情報に基づいて、たとえば、９月１日の０時から１５時までの対象施設における消費電力の推移を示すグラフを画面に表示する。なお、消費電力情報に基づく画面は、図６に示すようなグラフに限らず、３０分毎の消費電力の値を示す棒グラフなどであってもよい。
【０１０４】
（ｅ）状態情報のダミーの保存
再び図２および図３を参照して、機器情報処理装置１０１は、たとえば、端末装置１０４から所定情報を受信した後に、端末装置１０３から要求情報を受信すると、状態情報を端末装置１０３へ送信する代わりに、状態情報のダミーを端末装置１０３へ送信する。
【０１０５】
より詳細には、たとえば、ユーザが端末装置１０４を操作することにより、電気機器１０５の動作状態および消費電力のダミーの表示を行う期間（以下、「ダミー期間」と称する。）を指定すると、端末装置１０４は、所定情報として、指定されたダミー期間を示す期間情報を機器情報処理装置１０１へ送信する。
【０１０６】
機器情報処理装置１０１における第１受信部１３は、端末措置１０４から送信された期間情報を受信すると、受信した期間情報を情報処理部１２へ出力する。情報処理部１２は、第１受信部１３から期間情報を受けると、当該期間情報を記憶部１７に保存する。
【０１０７】
また、情報処理部１２は、当該期間情報に基づいて、動作情報のダミーを作成し、作成した動作情報のダミーを記憶部１７に保存する。なお、動作情報のダミーの作成の詳細については、後述する。
【０１０８】
また、情報処理部１２は、当該期間情報、および消費電力情報のダミーの作成要求を示すダミー作成要求情報を第２送信部１６へ出力する。第２送信部１６は、情報処理部１２から受けた期間情報、ダミー作成要求情報およびＩＤを管理装置１０２へ送信する。
【０１０９】
管理装置１０２における受信部２１は、機器情報処理装置１０１から送信された期間情報、ダミー作成要求情報およびＩＤを受信すると、受信したこれらの情報を情報処理部２３へ出力する。
【０１１０】
情報処理部２３は、受信部２１から受けた期間情報、ダミー作成要求情報およびＩＤに基づいて、消費電力情報のダミーを作成し、作成した消費電力情報のダミーを、送信部２２経由で機器情報処理装置１０１へ送信する。なお、消費電力情報のダミーの作成の詳細については、後述する。
【０１１１】
機器情報処理装置１０１における情報処理部１２は、管理装置１０２から送信された消費電力情報のダミーを第２受信部１５経由で受信すると、受信した消費電力情報のダミーを記憶部１７に保存する。
【０１１２】
（ｆ）状態情報のダミーに基づく表示
（ｆ−ｉ）動作情報のダミーに基づく表示
情報処理部１２は、たとえば、前述のように、動作情報を要求するための要求情報を端末装置１０３から第１受信部１３経由で受信すると、記憶部１７において保存されている期間情報を参照して、現在時刻がダミー期間に含まれるか否かを確認する。
【０１１３】
そして、情報処理部１２は、現在時刻がダミー期間に含まれることを確認した場合、記憶部１７に保存されている動作情報のダミーを読み出す。そして、情報処理部１２は、電気機器１０５の実際の動作情報を示す動作情報の代わりに、記憶部１７から読み出した動作情報のダミーを、第１送信部１４経由で端末装置１０３へ送信する。
【０１１４】
端末装置１０３は、機器情報処理装置１０１から送信された動作情報のダミーを受信すると、受信した動作情報のダミーに基づいて、電気機器１０５の動作状態を自己の画面に表示する。これにより、端末装置１０３の画面には、電気機器１０５の動作状態のダミーが表示される。
【０１１５】
（ｆ−ｉｉ）消費電力情報のダミーに基づく表示
情報処理部１２は、たとえば、前述のように、消費電力情報を要求するための要求情報を端末装置１０３から第１受信部１３経由で受信すると、記憶部１７において保存されている期間情報を参照して、現在時刻がダミー期間に含まれるか否かを確認する。
【０１１６】
そして、情報処理部１２は、現在時刻がダミー期間に含まれることを確認した場合、当該要求情報、および現在時刻を含むダミー期間を示す期間情報を第２送信部１６へ出力する。
【０１１７】
第２送信部１６は、情報処理部１２から要求情報および期間情報を受けると、当該要求情報、当該期間情報およびＩＤを管理装置１０２へ送信する。
【０１１８】
管理装置１０２における情報処理部２３は、第２送信部１６から送信された要求情報、期間情報およびＩＤを受信部２１経由で受信すると、これらの情報に基づいて、たとえば、記憶部２４において保存されている複数の消費電力情報の中から、受信したＩＤと同一のＩＤが対応づけられた消費電力情報であって、当該要求情報を受信した日と同日の０時からダミー期間の開始タイミングまでの期間に含まれる時刻のタイムスタンプが付された消費電力情報を読み出す。
【０１１９】
そして、情報処理部２３は、読み出した消費電力情報を、送信部２２経由で機器情報処理装置１０１へ送信する。
【０１２０】
機器情報処理装置１０１における情報処理部１２は、管理装置１０２から送信された消費電力情報を第２受信部１５経由で受信する。
【０１２１】
また、情報処理部１２は、たとえば、記憶部１７に保存されている消費電力情報のダミーが示すダミー期間の消費電力を参照して、当該ダミー期間の開始タイミングから現在時刻までの消費電力を示す消費電力情報のダミーを新たに作成する。
【０１２２】
そして、情報処理部１２は、情報処理部２３から受信した消費電力情報、および新たに作成した消費電力情報のダミーを、第１送信部１４経由で端末装置１０３へ送信する。
【０１２３】
端末装置１０３は、機器情報処理装置１０１から送信された消費電力情報および消費電力情報のダミーを受信すると、受信したこれらの情報に基づいて、たとえば、当日の０時から現在時刻までの対象施設における消費電力の推移を示すグラフを自己の画面に表示する。
【０１２４】
これにより、端末装置１０３の画面には、当日の０時からダミー期間の開始タイミングまでの実際の消費電力、および、ダミー期間の開始タイミングから現在時刻までの消費電力のダミーが表示される。
【０１２５】
図７は、本発明の実施の形態に係る端末装置の画面の表示例４を示す図である。
【０１２６】
図７を参照して、具体的には、現在の日時が９月１日の１５時であって、９時以降にユーザＹが外出しているとする。また、ユーザＹが、端末装置１０４を用いて、９月１日の９時以降は消費電力のダミーが表示されるように事前の指定を行ったとする。
【０１２７】
このような場合、図７に示すグラフＧ１のように、９時以降の実際の消費電力は小さい値であり、かつ変化が少ないが、端末装置１０３の画面には、グラフＧ１は表示されず、９時以降の消費電力が９時以前の期間における消費電力と連続性のある値となるように模したグラフＧ２が表示される。
【０１２８】
なお、機器情報処理装置１０１から送信される状態情報は、現在時刻に同期していなくてもよい。たとえば、機器情報処理装置１０１は、前日の消費電力を示す消費電力情報を端末装置１０３へ送信する構成であってもよい。このような場合、機器情報処理装置１０１は、ダミー期間において、たとえば、前日の消費電力のダミーを示す消費電力情報のダミーを端末装置１０３へ送信する。
【０１２９】
［動作情報のダミーの作成］
（ａ）例１
ここで、ユーザは、たとえば、外出状態を模した電気機器１０５の動作状態および消費電力を表示する外出モード、および、在宅状態を模した電気機器１０５の動作状態および消費電力を表示する在宅モードのいずれか一方を選択可能である。
【０１３０】
たとえば、端末装置１０４の所有者であるユーザＹは、ダミー期間を指定する際、端末装置１０４を操作することにより、外出モードおよび在宅モードのいずれか一方を選択することができる。そして、端末装置１０４は、ユーザＹによる選択結果を、ダミー期間を示す期間情報と共に機器情報処理装置１０１へ送信する。
【０１３１】
再び図２を参照して、機器情報処理装置１０１における情報処理部１２は、たとえば、外出モードが選択されたことを示す選択結果、および外出モードの期間を示す期間情報を、第１受信部１３経由で端末装置１０４から受信すると、外出状態を模した電気機器１０５の動作状態を示す動作情報のダミーを作成する。
【０１３２】
具体的には、情報処理部１２は、たとえば、エアコン、照明およびテレビの電源がオフであることを示す動作情報のダミーを作成する。そして、情報処理部１２は、作成した動作情報のダミーを記憶部１７に保存する。
【０１３３】
なお、情報処理部１２は、エアコン、照明およびテレビ等の一部の電気機器１０５に限らず、たとえば、対象施設における全ての電気機器１０５の電源がオフであることを示す動作情報のダミーを作成してもよい。
【０１３４】
一方、情報処理部１２は、在宅モードが選択されたことを示す選択結果を受信した場合も同様に、たとえば、エアコン、照明およびテレビの電源がオンであることを示す動作情報のダミーを作成する。
【０１３５】
なお、情報処理部１２は、互いに異なる内容を示す複数の動作情報のダミーを作成し、作成した複数の動作情報のダミーを、期間情報の送信元である端末装置１０４へ第１送信部１４経由で送信してもよい。
【０１３６】
そして、端末装置１０４は、たとえば、機器情報処理装置１０１から送信された複数の動作情報のダミーを受信すると、受信した複数の動作情報のダミーがそれぞれ示す内容を画面に表示する。
【０１３７】
そして、端末装置１０４は、たとえば、画面に表示した複数の内容のうちのいずれか１つがユーザＹにより選択されると、選択結果を機器情報処理装置１０１に通知する。そして、機器情報処理装置１０１における情報処理部１２は、端末装置１０４からの通知を第１受信部１３経由で受けると、ユーザＹにより選択された内容を示す動作情報のダミーを記憶部１７に保存する。
【０１３８】
（ｂ）例２
情報処理部１２は、たとえば、外出モードが選択されたことを示す選択結果、および外出モードのダミー期間を示す期間情報を、第１受信部１３経由で端末装置１０４から受信すると、たとえば、動作情報の取得を取得部１１に要求する。そして、取得部１１は、情報処理部１２から受けた要求に従い、各電気機器１０５から動作状態の通知を受けて、通知された内容を示す動作情報を情報処理部１２へ出力する。
【０１３９】
そして、情報処理部１２は、取得部１１から受けた動作情報の示す内容を確認することにより、ユーザが外出中であるか否かを判断する。たとえば、当該動作情報が、エアコン、照明およびテレビのそれぞれの電源がいずれもオフであることを示す場合、情報処理部１２は、ユーザが外出中であると判断する。
【０１４０】
そして、情報処理部１２は、たとえば、ユーザが外出中であると判断した場合、取得部１１から受けた最新の動作情報と同一の内容を示す動作情報のダミーを作成し、作成した動作情報のダミーを記憶部１７に保存する。
【０１４１】
なお、情報処理部１２は、在宅モードが選択されたことを示す選択結果を受信した場合も同様に、たとえば、取得部１１から受けた動作情報の示す内容を確認することにより、ユーザが在宅であるか否かを判断し、ユーザが在宅であると判断した場合、取得部１１から受けた最新の動作情報と同一の内容を示す動作情報のダミーを作成する。
【０１４２】
［消費電力情報のダミーの作成］
（ａ）例１
再び図２および図３を参照して、管理装置１０２における情報処理部２３は、外出モードまたは在宅モードが選択されたことを示す選択結果、期間情報、ダミー作成要求情報およびＩＤを受信すると、たとえば、これらの情報に加えて、さらに、記憶部２４に保存されているユーザ情報および天気情報を用いて、消費電力情報のダミーを作成する。
【０１４３】
より詳細には、情報処理部２３は、記憶部２４に保存されている複数のユーザ情報の中から、受信したＩＤと同一のＩＤが対応づけられたユーザ情報（以下、「特定ユーザ情報」と称する。）を特定する。
【０１４４】
そして、情報処理部２３は、たとえば、特定ユーザ情報の示す対象施設の住所、および受信した期間情報の示すダミー期間に基づいて、当該対象施設が存在するエリアにおけるダミー期間の天気予報を示す天気予報情報の取得を天気情報取得部２５に要求する。
【０１４５】
天気情報取得部２５は、情報処理部２３からの要求を受けると、当該要求に従って、たとえばウェブサイト上から天気予報情報を取得し、取得した天気予報情報を情報処理部２３へ出力する。
【０１４６】
情報処理部２３は、取得した天気予報情報、および記憶部２４に保存されている当該対象施設が存在するエリアにおける過去の天気を示す天気情報に基づいて、たとえば、当該エリアにおいて、天気予報情報の示すダミー期間の天気と一致または類似する天気であった過去の期間を特定する。
【０１４７】
また、情報処理部２３は、記憶部２４に保存されている複数のユーザ情報の中から、特定ユーザ情報の示す内容と一致または類似する内容を示す１または複数のユーザ情報を選択する。そして、情報処理部２３は、たとえば、選択した１または複数のユーザ情報の各々に対応付けられているＩＤを特定する。
【０１４８】
そして、情報処理部２３は、たとえば、記憶部２４に記憶されている複数の消費電力情報の中から、特定した１または複数のＩＤのいずれか１つが対応づけられた消費電力情報であって、天気情報に基づいて特定した期間に含まれる日時のタイムスタンプが付された消費電力情報を基準情報として選択する。
【０１４９】
そして、情報処理部２３は、選択した１または複数の基準情報に基づいて、消費電力情報のダミーを作成する。
【０１５０】
具体的には、情報処理部２３は、外出状態を模した消費電力情報のダミーを作成する場合、１または複数の基準情報のうち、たとえば、消費電力の値が小さく、かつ消費電力の値の変化の少ない状況を示す基準情報と同一または類似した内容を示す消費電力情報のダミーを作成する。
【０１５１】
また、情報処理部２３は、在宅状態を模した消費電力情報のダミーを作成する場合、１または複数の基準情報のうち、たとえば、消費電力の値がある程度の大きさで変化している状況を示す基準情報と同一または類似した内容を示す消費電力情報のダミーを作成する。
【０１５２】
そして、情報処理部２３は、作成した消費電力情報のダミーを、送信部２２経由で機器情報処理装置１０１へ送信する。
【０１５３】
機器情報処理装置１０１における情報処理部１２は、管理装置１０２から送信された消費電力情報のダミーを第２受信部１５経由で受信すると、受信した消費電力情報のダミーを記憶部１７に保存する。
【０１５４】
なお、情報処理部２３は、互いに異なる内容を示す複数の消費電力情報のダミーを作成し、作成した複数の消費電力情報のダミーを、期間情報の送信元である端末装置１０４へ第１送信部１４経由で送信してもよい。
【０１５５】
そして、端末装置１０４は、たとえば、機器情報処理装置１０１から送信された複数の消費電力情報のダミーを受信すると、受信した複数の消費電力情報のダミーがそれぞれ示す内容を画面に表示する。
【０１５６】
そして、端末装置１０４は、たとえば、画面に表示した複数の内容のうちのいずれか１つがユーザＹにより選択されると、選択結果を機器情報処理装置１０１に通知する。そして、機器情報処理装置１０１における情報処理部１２は、端末装置１０４からの通知を第１受信部１３経由で受けると、ユーザＹにより選択された内容を示す消費電力情報のダミーを記憶部１７に保存する。
【０１５７】
（ｂ）例２
情報処理部２３は、機器情報処理装置１０１における情報処理部１２により作成された動作情報のダミーを取得し、取得した動作情報のダミーおよび選択した１または複数の基準情報に基づいて、消費電力情報のダミーを作成してもよい。
【０１５８】
たとえば、情報処理部１２は、外出モードまたは在宅モードが選択されたことを示す選択結果、期間情報、ダミー作成要求情報およびＩＤに加えて、さらに、記憶部１７に保存されている動作情報のダミーを第２送信部１６へ出力する。そして、第２送信部１６は、情報処理部１２から受けたこれらの情報を管理装置１０２へ送信する。
【０１５９】
管理装置１０２における情報処理部２３は、機器情報処理装置１０１から送信された選択情報、期間情報、ダミー作成要求情報、動作情報のダミーおよびＩＤを受信すると、たとえば、「（ａ）例１」において記載したように、これらに情報に基づいて、１または複数の基準情報を選択する。
【０１６０】
そして、情報処理部２３は、たとえば、選択した１または複数の基準情報のうち、動作情報のダミーが示す内容に最も合致する基準情報を特定し、特定した基準情報と同一の内容を示す消費電力情報のダミーを作成する。
【０１６１】
なお、情報処理部２３は、基準情報の選択などを行うことなく、たとえば、機器情報処理装置１０１から送信された動作情報のダミーに基づいて消費電力を算出し、算出した消費電力を示す消費電力情報のダミーを作成してもよい。
【０１６２】
［電気機器の動作状態の変更］
機器情報処理装置１０１は、ユーザからの指示に従い、電気機器１０５の動作状態を制御する。たとえば、ユーザが端末装置１０３または端末装置１０４を操作することにより、電気機器１０５の動作状態の変更を指示すると、端末装置１０３または端末装置１０４は、指示の内容を示す変更情報を機器情報処理装置１０１へ送信する。
【０１６３】
機器情報処理装置１０１における第１受信部１３は、端末装置１０３または端末装置１０４から送信された変更情報を受信すると、受信した変更情報を変更部１８へ出力する。
【０１６４】
変更部１８は、第１受信部１３から変更情報を受けると、記憶部１７に保存されている期間情報を参照して、たとえば、現在時刻がダミー期間に含まれるか否かを確認する。そして、変更部１８は、現在時刻がダミー期間に含まれないことを確認した場合、当該変更情報を制御部１９へ出力する。
【０１６５】
制御部１９は、変更部１８から変更情報を受けると、当該変更情報に基づいて、電気機器１０５の動作状態を変更するための制御情報を対応の電気機器１０５へ送信する。
【０１６６】
そして、機器情報処理装置１０１から送信された制御情報を受信した電気機器１０５は、受信した制御情報の内容に従って動作する。
【０１６７】
また、変更部１８は、現在時刻がダミーモードの期間に含まれることを確認した場合、制御部１９への変更情報の出力は行わず、記憶部１７に保存されている動作情報のダミーの内容および消費電力情報のダミーの内容を変更するための処理を行う。
【０１６８】
より詳細には、変更部１８は、記憶部１７に保存されている動作情報のダミーの内容が変更情報の示す内容に合うように、当該動作情報のダミーの内容を変更して記憶部１７を更新する。
【０１６９】
また、変更部１８は、たとえば、変更後の動作情報のダミー、および消費電力情報のダミーの変更要求を、第２送信部１６経由で管理装置１０２へ送信する。
【０１７０】
管理装置１０２における情報処理部２３は、機器情報処理装置１０１から送信された変更後の動作情報のダミーおよび消費電力情報のダミーの変更要求を受信すると、受信したこれらの情報に基づいて、たとえば、消費電力情報のダミーの内容が変更後の動作情報のダミーの内容に合うように、当該消費電力情報のダミーの内容を変更する。そして、情報処理部２３は、変更後の消費電力情報のダミーを、送信部２２経由で機器情報処理装置１０１へ送信する。
【０１７１】
機器情報処理装置１０１における情報処理部１２は、管理装置１０２から送信された変更後の消費電力情報のダミーを第２受信部１５経由で受信すると、当該消費電力情報のダミーを記憶部１７に保存する。
【０１７２】
なお、機器情報処理装置１０１は、電気機器１０５の動作状態の制御を行わない構成であってもよい。たとえば、他の制御装置が、端末装置１０３または端末装置１０４から送信された変更情報を受信し、受信した変更情報に基づいて電気機器１０５の動作状態の制御を行ってもよい。この場合、機器情報処理装置１０１は、たとえば、当該制御装置から変更情報を取得し、取得した変更情報に基づいて、動作情報のダミーの内容の変更、および消費電力情報のダミーの変更要求の送信を行う。
【０１７３】
また、ＨＥＭＳにおいて用いられる対象施設の装置が上述のような機器情報処理装置１０１の機能を有する構成に限定されず、管理装置１０２が、機器情報処理装置として機器情報処理装置１０１の機能の一部または全部を有する構成であってもよい。
【０１７４】
＜動作＞
次に、本発明の実施の形態に係る管理システム２０１の動作について説明する。管理システム２０１における各装置は、コンピュータを備え、当該コンピュータにおけるＣＰＵ等の演算処理部は、以下のシーケンスの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１７５】
［ユーザ情報の登録処理］
図８は、本発明の実施の形態に係る管理システムにおけるユーザ情報の登録処理の動作手順を定めたシーケンスを示す図である。
【０１７６】
図８を参照して、まず、ユーザがたとえば端末装置１０４にユーザ情報を入力すると、端末装置１０４は、入力されたユーザ情報を機器情報処理装置１０１へ送信する（ステップＳ１１）。
【０１７７】
次に、機器情報処理装置１０１は、端末装置１０４から送信されたユーザ情報を受信すると、当該ユーザ情報およびＩＤを管理装置１０２へ送信する（ステップＳ１２）。
【０１７８】
次に、管理装置１０２は、機器情報処理装置１０１から送信されたユーザ情報およびＩＤを受信すると、当該ユーザ情報と当該ＩＤとを対応づけて保存する（ステップＳ１３）。
【０１７９】
［状態情報の保存処理］
図９は、本発明の実施の形態に係る管理システムにおける状態情報の保存処理の動作手順を定めたシーケンスを示す図である。
【０１８０】
図９を参照して、まず、機器情報処理装置１０１は、動作状態の通知を各電気機器１０５に要求する（ステップＳ２１）。また、機器情報処理装置１０１は、消費電力の計測結果の通知を電力計測装置１０６に要求する（ステップＳ２２）。
【０１８１】
次に、各電気機器１０５は、機器情報処理装置１０１からの要求に従い、自己の動作状態を機器情報処理装置１０１に通知する（ステップＳ２３）。また、電力計測装置１０６は、機器情報処理装置１０１からの要求に従い、消費電力の計測結果を機器情報処理装置１０１に通知する（ステップＳ２４）。
【０１８２】
次に、機器情報処理装置１０１は、各電気機器１０５から通知された内容を示す動作情報、およびＩＤを管理装置１０２へ送信する（ステップＳ２５）。また、機器情報処理装置１０１は、電力計測装置１０６から通知された内容を示す消費電力情報、およびＩＤを管理装置１０２へ送信する（ステップＳ２６）。
【０１８３】
次に、管理装置１０２は、機器情報処理装置１０１から送信された動作情報およびＩＤを受信すると、当該動作情報と当該ＩＤとを対応づけて保存する。また、管理装置１０２は、機器情報処理装置１０１から送信された消費電力情報およびＩＤを受信すると、当該消費電力情報と当該ＩＤとを対応づけて保存する（ステップＳ２７）。上述したステップＳ２１〜ステップＳ２７の動作は、たとえば定期的に繰り返される。
【０１８４】
［動作情報のダミーの作成処理］
図１０は、本発明の実施の形態に係る管理システムにおける動作情報のダミーの作成処理の動作手順を定めたシーケンスを示す図である。
【０１８５】
図１０を参照して、まず、ユーザＹが端末装置１０４を操作することにより、外出モードまたは在宅モードを選択し、さらにダミー期間を指定すると、端末装置１０４は、選択結果、および外出モードのダミー期間を示す期間情報を機器情報処理装置１０１へ送信する（ステップＳ３１）。
【０１８６】
次に、機器情報処理装置１０１は、端末装置１０４から送信された選択結果および期間情報を受信すると、当該選択結果の示す内容を確認する（ステップＳ３２）。ここでは、当該選択結果が、ユーザにより在宅モードが選択されたことを示すとする。
【０１８７】
次に、機器情報処理装置１０１は、たとえば、動作状態の通知を各電気機器１０５に要求する（ステップＳ３３）。
【０１８８】
次に、各電気機器１０５は、機器情報処理装置１０１からの要求に従って、自己の動作状態を機器情報処理装置１０１に通知する（ステップＳ３４）。
【０１８９】
次に、機器情報処理装置１０１は、たとえば、各電気機器１０５からの通知を受けると、通知された内容に基づいて、ユーザが在宅であるか否かを判断する（ステップＳ３５）。
【０１９０】
そして、機器情報処理装置１０１は、ユーザが在宅していると判断した場合（ステップＳ３５において「ＹＥＳ」）、たとえば、ステップＳ３４において通知された内容と同一の内容を示す動作情報のダミーを作成する（ステップＳ３６）。
【０１９１】
一方、機器情報処理装置１０１は、ユーザが不在であると判断した場合（ステップＳ３５において「ＮＯ」）、たとえば、所定の内容を示す動作情報のダミーを作成する。具体的には、機器情報処理装置１０１は、エアコン、照明およびテレビなど、所定の電気機器１０５の電源がオンであることを示す動作情報のダミーを作成する（ステップＳ３７）。
【０１９２】
そして、機器情報処理装置１０１は、作成した動作情報のダミーを保存する（ステップＳ３８）。
【０１９３】
［消費電力情報のダミーの作成処理］
図１１は、本発明の実施の形態に係る管理システムにおける消費電力情報のダミーの作成処理の動作手順を定めたシーケンスを示す図である。
【０１９４】
図１１を参照して、まず、図１０に示すステップＳ３１と同様に、たとえば、ユーザＹが端末装置１０４を操作することにより、在宅モードを選択し、さらにダミー期間を指定すると、端末装置１０４は、選択結果、および外出モードのダミー期間を示す期間情報を機器情報処理装置１０１へ送信する（ステップＳ４１）。
【０１９５】
次に、機器情報処理装置１０１は、端末装置１０４から送信された選択結果および期間情報を受信すると、受信した選択結果、期間情報、ダミー作成要求情報およびＩＤを、管理装置１０２へ送信する。なお、このとき、機器情報処理装置１０１は、選択結果、期間情報、ダミー作成要求情報およびＩＤに加えて、さらに、作成した動作情報のダミーを管理装置１０２へ送信してもよい（ステップＳ４２）。
【０１９６】
次に、管理装置１０２は、機器情報処理装置１０１から送信された選択結果、期間情報、ダミー作成要求情報およびＩＤを受信すると、受信したこれらの情報に基づいて、たとえば、複数の消費電力情報のダミーを作成する。
【０１９７】
なお、管理装置１０２は、選択結果、期間情報、ダミー作成要求情報およびＩＤと共に動作情報のダミーを受信した場合は、受信した動作情報のダミーを用いて複数の消費電力情報のダミーを作成してもよい（ステップＳ４３）。
【０１９８】
次に、管理装置１０２は、たとえば、作成した複数の消費電力情報のダミーを機器情報処理装置１０１へ送信する（ステップＳ４４）。
【０１９９】
次に、機器情報処理装置１０１は、たとえば、管理装置１０２から送信された複数の消費電力情報のダミーを受信すると、受信したこれら複数の消費力情報のダミーを端末装置１０４へ送信する（ステップＳ４５）。
【０２００】
次に、端末装置１０４は、機器情報処理装置１０１から送信された複数の消費電力情報のダミーを受信すると、受信した複数の消費電力情報のダミーがそれぞれ示す内容を画面に表示する（ステップＳ４６）。
【０２０１】
次に、端末装置１０４は、たとえば、画面に表示した複数の内容のうちユーザＹにより選択された内容を示す選択結果を機器情報処理装置１０１に通知する（ステップＳ４７）。
【０２０２】
次に、機器情報処理装置１０１は、端末装置１０４から選択結果の通知を受けると、当該通知の内容に基づいて、ユーザＹにより選択された内容を示す消費電力情報のダミーを保存する（ステップＳ４８）。
【０２０３】
［動作情報の表示処理］
図１２は、本発明の実施の形態に係る管理システムにおける動作情報の表示処理の動作手順を定めたシーケンスを示す図である。
【０２０４】
図１２を参照して、まず、ユーザＸが端末装置１０３を操作することにより、電気機器１０５の動作状態の表示の要求を行うと、端末装置１０３は、当該要求の内容を示す要求情報を機器情報処理装置１０１へ送信する（ステップＳ５１）。
【０２０５】
次に、機器情報処理装置１０１は、端末装置１０３から送信された要求情報を受信すると、保存している期間情報を参照して、現在時刻がダミー期間に含まれるか否かを確認する（ステップＳ５２）。
【０２０６】
現在時刻がダミーモードの期間に含まれない場合（ステップＳ５２において「ＮＯ」）、機器情報処理装置１０１は、たとえば、動作状態の通知を各電気機器１０５に要求し、各電気機器１０５から動作状態の通知を受けることにより、各電気機器１０５の動作状態を示す動作情報を取得する（ステップＳ５３）。
【０２０７】
次に、機器情報処理装置１０１は、取得した動作情報を端末装置１０３へ送信する（ステップＳ５４）。
【０２０８】
そして、端末装置１０３は、機器情報処理装置１０１から送信された動作情報に基づいて、たとえば、各電気機器１０５の動作状態を自己の画面に表示する（ステップＳ５５）。
【０２０９】
一方、現在時刻がダミーモードの期間に含まれる場合（ステップＳ５２において「ＹＥＳ」）、機器情報処理装置１０１は、保存している動作情報のダミーを読み出す（ステップＳ５６）。
【０２１０】
次に、機器情報処理装置１０１は、動作情報の代わりに、読み出した動作情報のダミーを端末装置１０３へ送信する（ステップＳ５４）。
【０２１１】
そして、端末装置１０３は、機器情報処理装置１０１から送信された動作情報のダミーを受信すると、受信した動作情報のダミーに基づいて、たとえば、各電気機器１０５の動作状態を自己の画面に表示する（ステップＳ５５）。
【０２１２】
［消費電力情報の表示処理］
図１３は、本発明の実施の形態に係る管理システムにおける消費電力情報の表示処理の動作手順（その１）を定めたシーケンスを示す図である。また、図１４は、本発明の実施の形態に係る管理システムにおける消費電力情報の表示処理の動作手順（その２）を定めたシーケンスを示す図である。
【０２１３】
図１３を参照して、まず、ユーザＸが端末装置１０３を操作することにより、消費電力の表示の要求を行うと、端末装置１０３は、当該要求の内容を示す要求情報を機器情報処理装置１０１へ送信する（ステップＳ６１）。
【０２１４】
次に、機器情報処理装置１０１は、端末装置１０３から送信された要求情報を受信すると、保存している期間情報を参照して、現在時刻がダミー期間に含まれるか否かを確認する（ステップＳ６２）。
【０２１５】
現在時刻がダミーモードの期間に含まれない場合（ステップＳ６２において「ＮＯ」）、機器情報処理装置１０１は、端末装置１０３から受信した要求情報およびＩＤを管理装置１０２へ送信する（ステップＳ６３）。
【０２１６】
次に、管理装置１０２は、機器情報処理装置１０１から送信された要求情報およびＩＤを受信すると、これらの情報に基づいて、たとえば、保存している複数の消費電力情報の中から、受信したＩＤと同一のＩＤに対応づけられた消費電力情報であって、当該要求情報を受信した日と同日の０時から現在時刻までの消費電力情報を読み出す（ステップＳ６４）。
【０２１７】
次に、管理装置１０２は、読み出した消費電力情報を機器情報処理装置１０１へ送信する（ステップＳ６５）。
【０２１８】
次に、機器情報処理装置１０１は、管理装置１０２から送信された消費電力情報を受信すると（ステップＳ６６）、受信した消費電力情報を端末装置１０３へ送信する（ステップＳ６７）。
【０２１９】
次に、端末装置１０３は、機器情報処理装置１０１から送信された消費電力情報を受信すると、受信した消費電力情報に基づいて、たとえば、当日の０時から現在時刻までの対象施設における消費電力の推移を示すグラフを自己の画面に表示する（ステップＳ６８）。
【０２２０】
一方、現在時刻がダミーモードの期間に含まれる場合（ステップＳ６２において「ＹＥＳ」）、図１４に示すステップＳ７１へ移行する。
【０２２１】
図１４を参照して、機器情報処理装置１０１は、端末装置１０３から受信した要求情報、保存している期間情報およびＩＤを管理装置１０２へ送信する（ステップＳ７１）。
【０２２２】
次に、管理装置１０２は、機器情報処理装置１０１から送信された要求情報、期間情報およびＩＤを受信すると、これらの情報に基づいて、たとえば、保存している複数の消費電力情報の中から、受信したＩＤと同一のＩＤに対応づけられた消費電力情報であって、当該要求情報を受信した日と同日の０時からダミー開始タイミングまでの消費電力情報を読み出す（ステップＳ７２）。
【０２２３】
次に、管理装置１０２は、読み出した消費電力情報を機器情報処理装置１０１へ送信する（ステップＳ７３）。
【０２２４】
次に、機器情報処理装置１０１は、管理装置１０２から送信された消費電力情報を受信すると、たとえば、保存している消費電力情報のダミーが示すダミー期間の消費電力を参照して、当該ダミー期間の開始タイミングから現在時刻までの消費電力を示す消費電力情報のダミーを新たに作成する（ステップＳ７４）。
【０２２５】
次に、機器情報処理装置１０１は、管理装置１０２から受信した消費電力情報、および作成した消費電力情報のダミーを端末装置１０３へ送信する（ステップＳ７５）。
【０２２６】
次に、端末装置１０３は、機器情報処理装置１０１から送信された消費電力情報および消費電力情報のダミーを受信すると、受信したこれらの情報に基づいて、たとえば、当日の０時から現在時刻までの対象施設における消費電力の推移を示すグラフを自己の画面に表示する（ステップＳ７６）。
【０２２７】
［電気機器の動作状態の変更処理］
図１５は、本発明の実施の形態に係る管理システムにおける電気機器の動作状態の変更処理の動作手順を定めたシーケンスを示す図である。
【０２２８】
図１５を参照して、たとえば、ユーザＸが端末装置１０３を操作することにより、電気機器１０５の動作状態の変更を指示すると、端末装置１０３は、指示の内容を示す変更情報を機器情報処理装置１０１へ送信する（ステップＳ８１）。
【０２２９】
次に、機器情報処理装置１０１は、端末装置１０３から送信された変更情報を受信すると、保存している期間情報を参照して、現在時刻がダミー期間に含まれるか否かを確認する（ステップＳ８２）。
【０２３０】
そして、機器情報処理装置１０１は、現在時刻がダミー期間に含まれないことを確認した場合（ステップＳ８２において「ＮＯ」）、受信した変更情報に基づいて、電気機器１０５の動作状態を変更するための制御情報を対応の電気機器１０５へ送信することにより、電気機器１０５の動作状態を変更する（ステップＳ８３）。
【０２３１】
次に、機器情報処理装置１０１は、たとえば、ユーザＸの指示に従った内容で電気機器１０５の動作状態の変更を行ったことを示す変更完了情報を端末装置１０３へ送信する（ステップＳ８４）。
【０２３２】
そして、端末装置１０３は、機器情報処理装置１０１から送信された変更完了情報を受信すると、当該変更完了情報に基づいて、たとえば、電気機器１０５の動作状態の変更が完了したことを自己の画面に表示する（ステップＳ８５）。
【０２３３】
一方、機器情報処理装置１０１は、現在時刻がダミー期間に含まれることを確認した場合（ステップＳ８２において「ＹＥＳ」）、電気機器１０５の動作状態の変更を行わず、ユーザＸの指示に従った内容で電気機器１０５の動作状態の変更を行ったことを示す変更完了情報を端末装置１０３へ送信する（ステップＳ８４）。
【０２３４】
そして、端末装置１０３は、機器情報処理装置１０１から受信した変更完了情報に基づいて、たとえば、電気機器１０５の動作状態の変更が完了したことを自己の画面に表示する（ステップＳ８５）。
【０２３５】
［動作情報のダミーおよび消費電力情報のダミーの内容変更処理］
図１６は、本発明の実施の形態に係る管理システムにおける動作情報のダミーおよび消費電力情報のダミーの内容変更処理の動作手順を定めたシーケンスを示す図である。
【０２３６】
図１６を参照して、たとえば、ユーザＸが端末装置１０３を操作することにより、電気機器１０５の動作状態の変更を指示すると、端末装置１０３は、指示の内容を示す変更情報を機器情報処理装置１０１へ送信する（ステップＳ９１）。
【０２３７】
次に、機器情報処理装置１０１は、端末装置１０３から送信された変更情報を受信すると、保存している期間情報を参照して、現在時刻がダミー期間に含まれるか否かを確認する（ステップＳ９２）。
【０２３８】
現在時刻がダミー期間に含まれる場合（ステップＳ９２において「ＹＥＳ」）、機器情報処理装置１０１は、たとえば、動作情報のダミーの内容が当該変更情報の示す内容に合うように、当該動作情報のダミーの内容を変更する（ステップＳ９３）。
【０２３９】
次に、機器情報処理装置１０１は、たとえば、変更後の動作情報のダミー、および消費電力情報のダミーの変更要求を管理装置１０２へ送信する（ステップＳ９４）。
【０２４０】
次に、管理装置１０２は、機器情報処理装置１０１から送信された変更後の動作情報のダミーおよび消費電力情報のダミーの変更要求を受信すると、受信したこれらの情報に基づいて、たとえば、消費電力情報のダミーの内容が変更後の動作情報のダミーの内容に合うように、当該消費電力情報のダミーの内容を変更する（ステップＳ９５）。
【０２４１】
次に、管理装置１０２は、変更後の消費電力情報のダミーを機器情報処理装置１０１へ送信する（ステップＳ９６）。
【０２４２】
次に、機器情報処理装置１０１は、管理装置１０２から送信された変更後の消費電力情報のダミーを受信すると、当該消費電力情報のダミーを保存する（ステップＳ９７）。
【０２４３】
一方、現在時刻がダミー期間に含まれない場合（ステップＳ９２において「ＮＯ」）、上述したステップＳ９３〜ステップＳ９７の動作は行われず、動作情報のダミーおよび消費電力情報のダミーの内容変更処理は終了する。
【０２４４】
ところで、上述の非特許文献１に記載のような機器管理システムでは、機器管理装置が、対象施設における電気機器の動作状態等をユーザに提示することが可能である。しかしながら、対象施設における電気機器の動作状態等が提示されることにより、当該対象施設の利用者であるユーザの行動が他のユーザに知られる可能性がある。このため、プライバシーの保護を向上させることのできる技術が望まれる。
【０２４５】
これに対して、本発明の実施の形態に係る機器情報処理装置１０１では、第１受信部１３は、他の装置からの情報を受信する。また、第１送信部１４は、電気機器の動作状態を判断可能な状態情報を要求するための端末装置１０３からの要求情報を第１受信部１３が受信した場合、状態情報を端末装置１０３へ送信する。また、第１送信部１４は、第１受信部１３が端末装置１０４からの所定情報を受信した後に要求情報を受信した場合、状態情報の代わりに状態情報のダミーを端末装置１０３へ送信する。
【０２４６】
このような構成により、たとえば、ユーザＹが端末装置１０４を操作することにより電気機器に関するダミーが表示されるように設定した場合、ユーザＹが外出中であっても、ユーザＸの端末装置１０３には、ユーザＹが在宅中であるように模した内容の画面が表示されるため、ユーザＹの実際の行動がユーザＸに知られることを防ぐことができる。したがって、電気機器の動作状態に関する情報の提示を可能としながら、プライバシーの保護を向上させることができる。
【０２４７】
また、本発明の実施の形態に係る機器情報処理装置１０１では、第１送信部１４は、現在時刻に同期した内容の状態情報を送信する。また、第１送信部１４は、現在時刻に同期した内容の状態情報のダミーを送信する。
【０２４８】
このような構成により、電気機器１０５の動作状態に関する内容をリアルタイムに表示することのできるシステムにおいて、動作状態に関する内容のダミーについても同様に、リアルタイムに表示することができる。
【０２４９】
また、本発明の実施の形態に係る機器情報処理装置１０１から送信される状態情報は、電気機器１０５の設けられた施設の消費電力、および電気機器１０５の動作状態の少なくともいずれか一方を示す情報である。
【０２５０】
このような構成により、たとえば、対象施設の消費電力および電気機器１０５の動作状態を表示することのできるシステムにおいて、消費電力のダミーおよび動作状態のダミーについても同様に表示することができる。
【０２５１】
また、本発明の実施の形態に係る機器情報処理装置１０１では、第１送信部１４は、動作状態のダミーに基づいて算出された消費電力を示す情報を、状態情報のダミーとして送信する。
【０２５２】
このような構成により、電気機器１０５の動作状態として表示される内容と、対象施設における消費電力として表示される内容との間に矛盾が生じることを防ぐことができる。
【０２５３】
また、本発明の実施の形態に係る機器情報処理装置１０１では、変更部１８は、電気機器１０５の動作状態を変更するための変更情報を第１受信部１３が受信した場合、当該変更情報に基づいて、状態情報のダミーの内容を変更するための処理を行う。
【０２５４】
このような構成により、ユーザによる電気機器１０５の動作状態の変更指示に合わせて、端末装置１０３または端末装置１０４に表示されるダミーの内容が変更されるため、表示される内容がダミーであることが当該ユーザに把握されにくい。
【０２５５】
また、本発明の実施の形態に係る管理装置１０２では、受信部２１は、他の装置からの情報を受信する。また、送信部２２は、電気機器１０５の動作状態を判断可能な状態情報を要求するための要求情報を受信部２１が受信した場合、状態情報を送信する。また、情報処理部２３は、状態情報のダミーの作成要求を示すダミー作成要求情報を受信部２１が受信した場合、状態情報のダミーを作成する。そして、送信部２２は、情報処理部２３により作成された状態情報のダミーを送信する。
【０２５６】
このような構成により、たとえば、ユーザが、電気機器１０５に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器１０５の動作状態に関する情報の提示を可能としながら、プライバシーの保護を向上させることができる。
【０２５７】
また、本発明の実施の形態に係る管理装置１０２では、記憶部２４は、対象施設の属性情報、および対象施設に設けられた電気機器１０５に関する状態情報を保存する。また、情報処理部２３は、受信部２１が対象施設からの所定情報を受信した場合、記憶部２４に保存されている対象施設の属性情報に基づいて、他の対象施設に設けられた電気機器１０５に関する状態情報を選択し、選択した状態情報に基づいて状態情報のダミーを作成する。
【０２５８】
このような構成により、たとえば、ある対象施設の状態情報のダミーを作成する場合、当該対象施設と属性が同一または類似する他の対象施設の状態情報を基準とすることができる。このため、たとえば、状態情報のダミーを作成する場合、電気機器１０５の実際の動作状態に近い状態を示す状態情報のダミーを作成することができる。
【０２５９】
また、本発明の実施の形態に係る管理システム２０１では、機器情報処理装置１０１は、電気機器１０５の動作状態を判断可能な状態情報を要求するための端末装置１０４からの要求情報を受信した場合、状態情報を端末装置１０３へ送信する。また、機器情報処理装置１０１は、端末装置１０４からの所定情報を受信した後に要求情報を受信した場合、状態情報のダミーの作成要求を示すダミー作成要求情報を管理装置１０２へ送信する。また、管理装置１０２は、機器情報処理装置１０１からダミー作成要求情報を受信すると、状態情報のダミーを作成し、作成した状態情報のダミーを機器情報処理装置１０１へ送信する。また、機器情報処理装置１０１は、状態情報の代わりに、管理装置１０２から受信した状態情報のダミーを端末装置１０３へ送信する。
【０２６０】
このような構成により、たとえば、ユーザＹが端末装置１０４を操作することにより電気機器１０５に関するダミーが表示されるように設定した場合、ユーザＹが外出中であっても、ユーザＸの端末装置１０３には、ユーザＹが在宅中であるように模した内容の画面が表示されるため、ユーザＹの実際の行動がユーザＸに知られることを防ぐことができる。したがって、電気機器１０５の動作状態に関する情報の提示を可能としながら、プライバシーの保護を向上させることができる。
【０２６１】
＜変形例＞
上述した本発明の実施の形態では、機器情報処理装置１０１は、たとえば、端末装置１０４からの所定情報、具体的には選択結果および期間情報を受信した後、要求情報を受信した場合、状態情報の代わりに状態情報のダミーを端末装置１０３へ送信する。
【０２６２】
しかしながら、このような構成に限定されず、機器情報処理装置１０１は、たとえば、図示しない受付部を備え、ユーザによる選択結果およびダミー期間の入力を受付部が受け付けると、入力された選択結果およびダミー期間を示す期間情報を所定情報として取得し、当該所定情報を取得した後に要求情報を受信した場合、状態情報の代わりに状態情報のダミーを端末装置１０３等へ送信する構成であってもよい。
【０２６３】
このように、本発明の実施の形態の変形例に係る機器情報処理装置１０１では、第１受信部１３は、他の装置からの情報を受信する。また、第１送信部１４は、電気機器１０５の動作状態を示す状態情報を要求するための要求情報を第１受信部１３が受信した場合、状態情報を送信する。また、第１送信部１４は、所定情報が取得された後に第１受信部１３が要求情報を受信した場合、状態情報の代わりに状態情報のダミーを送信する。
【０２６４】
このような構成により、たとえば、ユーザが、電気機器に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器１０５の動作状態に関する情報の提示を可能としながら、プライバシーの保護を向上させることができる。
【０２６５】
また、本発明の実施の形態の変形例に係る管理システム２０１では、機器情報処理装置１０１は、電気機器１０５の動作状態を示す状態情報を要求するための要求情報を受信した場合、状態情報を送信する。また、機器情報処理装置１０１は、所定情報を取得した後に要求情報を受信した場合、状態情報のダミーの作成要求を示すダミー作成要求情報を管理装置１０２へ送信する。また、管理装置１０２は、機器情報処理装置１０１からダミー作成要求情報を受信すると、状態情報のダミーを作成し、作成した状態情報のダミーを機器情報処理装置１０１へ送信する。また、機器情報処理装置１０１は、状態情報の代わりに、管理装置１０２から受信した状態情報のダミーを送信する。
【０２６６】
このような構成により、たとえば、ユーザが、電気機器１０５に関するダミーが表示されるように設定した場合、当該ユーザが外出中であっても、当該ユーザが在宅中であるように模した内容の画面が表示されるため、当該ユーザの実際の行動が他のユーザに知られることを防ぐことができる。したがって、電気機器１０５の動作状態に関する情報の提示を可能としながら、プライバシーの保護を向上させることができる。
【０２６７】
なお、本発明の実施の形態に係る機器情報処理装置１０１および管理装置１０２の少なくともいずれか一つの機能の一部または全部が、クラウドコンピューティングによって提供されてもよい。すなわち、本発明の実施の形態に係る機器情報処理装置１０１および管理装置１０の少なくともいずれか一つが、複数のクラウドサーバ等によって構成されてもよい。
【０２６８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２６９】
以上の説明は、以下に付記する特徴を含む。
【０２７０】
［付記１］
他の装置からの情報を受信する受信部と、
電気機器の動作状態を判断可能な状態情報を要求するための第１の端末装置からの要求情報を前記受信部が受信した場合、前記状態情報を前記第１の端末装置へ送信する送信部とを備え、
前記送信部は、前記受信部が第２の端末装置からの所定情報を受信した後に前記要求情報を受信した場合、前記状態情報の代わりに前記状態情報のダミーを前記第１の端末装置へ送信する機器情報処理装置であり、
前記機器情報処理装置は、ＨＥＭＳ（Ｈｏｍｅ  Ｅｎｅｒｇｙ  Ｍａｎａｇｅｍｅｎｔ  Ｓｙｓｔｅｍ）において用いられる装置であり、
前記所定情報は、ユーザが外出中であることを模した表示を行う外出モード、および前記ユーザが在宅中であることを模した表示を行う在宅モードのいずれかの選択結果、ならびに前記状態情報のダミーに基づく表示を行う期間を示す期間情報を含む、機器情報処理装置。
【０２７１】
［付記２］
他の装置からの情報を受信する受信部と、
電気機器の動作状態を示す状態情報を要求するための要求情報を前記受信部が受信した場合、前記状態情報を送信する送信部とを備え、
前記送信部は、、所定情報が取得された後に前記受信部が前記要求情報を受信した場合、前記状態情報の代わりに前記状態情報のダミーを送信する機器情報処理装置であり、
前記機器情報処理装置は、ＨＥＭＳ（Ｈｏｍｅ  Ｅｎｅｒｇｙ  Ｍａｎａｇｅｍｅｎｔ  Ｓｙｓｔｅｍ）において用いられる装置であり、
前記所定情報は、ユーザが外出中であることを模した表示を行う外出モード、および前記ユーザが在宅中であることを模した表示を行う在宅モードのいずれかの選択結果、ならびに前記状態情報のダミーに基づく表示を行う期間を示す期間情報を含む、機器情報処理装置。
【０２７２】
［付記３］
他の装置からの情報を受信する受信部と、
電気機器の動作状態を判断可能な状態情報を要求するための要求情報を前記受信部が受信した場合、前記状態情報を送信する送信部と、
前記状態情報のダミーの作成要求を示すダミー作成要求情報を前記受信部が受信した場合、前記状態情報のダミーを作成する情報処理部とを備え、
前記送信部は、前記情報処理部により作成された前記状態情報のダミーを送信し、
前記情報処理部は、対象施設の属性情報、前記対象施設の設けられたエリアにおける過去の天気を示す天気情報、および前記状態情報のダミーに基づく表示を行う期間の前記エリアにおける天気予報を示す天気予報情報に基づいて、前記状態情報のダミーを作成する、管理装置。
【符号の説明】
【０２７３】
１１  取得部
１２  情報処理部
１３  第１受信部
１４  第１送信部
１５  第２受信部
１６  第２送信部
１７  記憶部
１８  変更部
１９  制御部
２１  受信部
２２  送信部
２３  情報処理部
２４  記憶部
２５  天気情報取得部
１０１  機器情報処理装置
１０２  管理装置
１０３，１０４  端末装置
１０５  電気機器
１０６  電力計測装置
２０１  管理システム
【図１】
2018073352.tif 000003
【図２】
2018073352.tif 000004
【図３】
2018073352.tif 000005
【図４】
2018073352.tif 000006
【図５】
2018073352.tif 000007
【図６】
2018073352.tif 000008
【図７】
2018073352.tif 000009
【図８】
2018073352.tif 000010
【図９】
2018073352.tif 000011
【図１０】
2018073352.tif 000012
【図１１】
2018073352.tif 000013
【図１２】
2018073352.tif 000014
【図１３】
2018073352.tif 000015
【図１４】
2018073352.tif 000016
【図１５】
2018073352.tif 000017
【図１６】
2018073352.tif 000018